(57)【特許請求の範囲】
【請求項１】
電子商取引を利用した決済を行う通信システムであって、
通信網に各々接続され、前記通信網を介して各々通信し、コンピュータによって各々構成された、決済額の支払いを行う第１通信装置および前記決済額の領収を行う第２通信装置と、
前記第１通信装置および前記第２通信装置の二者間で電子商取引が行われた場合であっても、前記二者間で授受されたデータを前記通信網を介して取得し、前記二者間の電子商取引を管理する、コンピュータによって構成された管理装置と
を有し、
前記第１通信装置は、
前記第２通信装置および前記管理装置と通信する第１通信部と、
前記決済額を指定した小切手データを生成する小切手データ生成プログラムと、前記二者間の電子商取引の証票に関する第１アカウントデータとが格納されている第１記憶部と、
前記決済額の支払いに関する処理を行う第１処理部と
を有し、
前記第１処理部は、
前記第１記憶部に格納されている前記小切手データ生成プログラムを実行して前記小切手データを生成し、生成した前記小切手データを前記第１記憶部に格納されている前記第１アカウントデータに書き込む第１処理部生成・書き込み処理と、
前記第１処理部生成・書き込み処理によって生成された前記小切手データを前記第２通信装置へ前記第１通信部に送信させる第１処理部第１送信処理と、
前記第１処理部第１送信処理後、前記第２通信装置が前記小切手データを受領したことを示す領収書データを前記第１通信部に受信させる第１処理部受信処理と、
前記第１処理部受信処理によって受信された前記領収書データを前記管理装置へ前記第１通信部に送信させる第１処理部第２送信処理とを行い、
前記第２通信装置は、
前記第１通信装置および前記管理装置と通信する第２通信部と、
前記領収書データを生成する領収書データ生成プログラムと、前記二者間の電子商取引の証票に関する第２アカウントデータとが格納された第２記憶部と、
前記決済額の領収に関する処理を行う第２処理部と
を有し、
前記第２処理部は、
前記第１通信部が送信した前記小切手データを前記第２通信部に受信させる第２処理部受信処理と、
前記第２処理部受信処理後、前記第２記憶部に格納されている前記領収書データ生成プログラムを実行して前記領収書データを生成し、生成した前記領収書データを前記第２記憶部に格納されている前記第２アカウントデータに書き込む第２処理部生成・書き込み処理と、
前記第２処理部生成・書き込み処理によって生成された前記領収書データを前記第１通信装置へ前記第２通信部に送信させる第２処理部第１送信処理と、
前記第２処理部第１送信処理後、前記第２通信部が受信した前記小切手データを前記管理装置へ前記第２通信部に送信させる第２処理部第２送信処理とを行い、
前記管理装置は、
前記第１通信装置が送信した前記領収書データおよび前記第２通信装置が送信した前記小切手データを受信する管理装置通信部と、
前記決済を行う決済プログラムが格納された管理装置記憶部と、
前記二者間の電子商取引を管理する管理装置処理部と
を有し、
前記管理装置処理部は、
前記管理装置通信部が前記小切手データおよび前記領収書データを受信した場合には、前記管理装置通信部の受信を契機として、前記管理装置記憶部に格納されている前記決済プログラムを実行し、前記小切手データまたは前記領収書データを用いて前記決済を行う決済処理と、
前記決済処理後、前記小切手データおよび前記領収書データを前記管理装置記憶部に格納する格納処理とを行う
通信システム。
【請求項２】
通信網に各々接続され、前記通信網を介して各々通信し、コンピュータによって各々構成された、決済額の支払いを行う第１通信装置および前記決済額の領収を行う第２通信装置と、
前記第１通信装置および前記第２通信装置の二者間で電子商取引が行われた場合であっても、前記二者間で授受されたデータを前記通信網を介して取得し、前記二者間の電子商取引を管理する、コンピュータによって構成された管理装置と
を用いて、電子商取引を利用した決済を行う通信方法であって、
前記第１通信装置は、
前記第２通信装置および前記管理装置と通信する第１通信部と、
前記決済額を指定した小切手データを生成する小切手データ生成プログラムと、前記二者間の電子商取引の証票に関する第１アカウントデータとが格納されている第１記憶部と、
前記決済額の支払いに関する処理を行う第１処理部と
を有する第１通信装置であり、
前記第２通信装置は、
前記第１通信装置および前記管理装置と通信する第２通信部と、
前記小切手データを受領したことを示す領収書データを生成する領収書データ生成プログラムと、前記二者間の電子商取引の証票に関する第２アカウントデータとが格納された第２記憶部と、
前記決済額の領収に関する処理を行う第２処理部と
を有する第２通信装置であり、
前記管理装置は、
前記第１通信装置および前記第２通信装置と通信する管理装置通信部と、
前記決済を行う決済プログラムが格納された管理装置記憶部と、
前記二者間の電子商取引を管理する管理装置処理部と
を有する管理装置であり、
前記第１処理部が、前記第１記憶部に格納されている前記小切手データ生成プログラムを実行して前記小切手データを生成し、生成した前記小切手データを前記第１記憶部に格納されている前記第１アカウントデータに書き込む第１工程と、
前記第１処理部が、前記第１工程で生成した前記小切手データを前記第２通信装置へ前記第１通信部に送信させる第２工程と、
前記第２処理部が、前記第１通信部が前記第２工程で送信した前記小切手データを前記第２通信部に受信させる第３工程と、
前記第２処理部が、前記第２記憶部に格納されている前記領収書データ生成プログラムを実行して前記領収書データを生成し、生成した前記領収書データを前記第２記憶部に格納されている前記第２アカウントデータに書き込む第４工程と、
前記第２処理部が、前記第４工程で生成した前記領収書データを前記第１通信装置へ前記第２通信部に送信させる第５工程と、
前記第２処理部が、前記第２通信部が前記第３工程で受信した前記小切手データを前記管理装置へ前記第２通信部に送信させる第６工程と、
前記第１処理部が、前記第２通信部が前記第５工程で送信した前記領収書データを前記第１通信部に受信させる第７工程と、
前記第１処理部が、前記第１通信部が前記第７工程で受信した前記領収書データを前記管理装置へ前記第１通信部に送信させる第８工程と、
前記管理装置処理部が、前記第２通信部が前記第６工程で送信した前記小切手データと、前記第１通信部が前記第８工程で送信した前記領収書データとを前記管理装置通信部に受信させる第９工程と、
前記管理装置通信部が、前記第２通信装置が前記第６工程で送信した前記小切手データおよび前記第１通信装置が前記第９工程で送信した前記領収書データを受信した場合には、前記管理装置処理部が、前記管理装置通信部の受信を契機として、前記管理装置記憶部に格納されている前記決済プログラムを実行し、前記小切手データまたは前記領収書データを用いて前記決済を行う第１０工程と、
前記管理装置処理部が、前記小切手データおよび前記領収書データを前記管理装置記憶部に格納する第１１工程と
を有する通信方法。
【発明の詳細な説明】
【０００１】
【発明の属する技術分野】
本発明は、通信装置相互間での通信の属性を管理することができる通信システムおよび通信方法に関する。
【０００２】
【従来の技術】
例えば、インターネットなどの通信網を介してユーザにサービスを提供する場合に、ユーザによるサービス利用内容に応じて課金を行ったり、情報案内を行うために、ユーザを特定する機能が必要である。
インターネット上での情報サービスは、ユーザの端末装置が特定のサーバ装置に接続し、サービスの提供を受けるクライアント・サーバシステムが主流である。ＷＷＷ(World Wide Web)は、このようなシステムの典型である。また、いわゆるポータルサイトによってサービス提供者の紹介を受け、ユーザが端末装置からサーバ装置に接続する場合でも同じである。
このようなシステムでは、ユーザの端末装置は必ずサーバ装置に接続し、サービスの利用開始時や情報内容あるいは物品の購入時にユーザ登録を行い、ユーザ登録時に発行されたユーザＩＤ情報や電子メールアドレスを用いてユーザがサービスの提供を受ける。そのため、サーバ装置はインターネット上でのユーザの活動を把握をすることができる。
また、携帯電話などと組み合わせたシステムでは、電話利用によって電話加入者の情報をサーバ装置が自動的に取得できるので、ユーザ識別を行うことが可能である。
【０００３】
【発明が解決しようとする課題】
しかしながら、近年のインターネットを用いた情報サービスの形態は、ユーザの端末装置がサーバ装置に接続される場合に限定されず、ユーザの端末装置が直接相互接続し、情報のやりとりをすることも多い。その際、やりとりされる情報が、特定の情報サービスから提供されたものである場合、当該のサービス提供者が認識することなく、その情報がやりとりされることになり、サービス提供側がサービス提供の内容を的確に把握することが困難となる。情報のやりとりには、相互交換されるデータそのものといった直接的なものの他に、物品の売買に関わるもののような間接的な情報も含まれる。
また、サーバ装置上で提供されるサービスであっても、ユーザ間のコミュニケーション手段を提供する情報コミュニティの場合、ユーザ間でより直接的な情報のやりとりがなされ、サーバ装置が必ずしもその内容を把握することが容易とはならないことがある。
以上は、個々のユーザの挙動を把握する場合についてであるが、ユーザの集団による情報処理の挙動なども同様にサーバ装置が認識することは難しい。
【０００４】
本発明は上述した従来技術の問題点に鑑みてなされ、サーバ装置を介さずにユーザ相互間で通信網を介して通信が行われた場合でも、サーバ装置が当該ユーザの通信網上での活動を把握可能な通信システムおよび通信方法を提供することを目的とする。
【０００５】
【課題を解決するための手段】
上述した従来技術の問題点を解決し、上述した目的を達成するために、本発明の通信システムは、電子商取引を利用した決済を行う通信システムであって、通信網に各々接続され、前記通信網を介して各々通信し、コンピュータによって各々構成された、決済額の支払いを行う第１通信装置および前記決済額の領収を行う第２通信装置と、前記第１通信装置および前記第２通信装置の二者間で電子商取引が行われた場合であっても、前記二者間で授受されたデータを前記通信網を介して取得し、前記二者間の電子商取引を管理する、コンピュータによって構成された管理装置とを有し、前記第１通信装置は、前記第２通信装置および前記管理装置と通信する第１通信部と、前記決済額を指定した小切手データを生成する小切手データ生成プログラムと、前記二者間の電子商取引の証票に関する第１アカウントデータとが格納されている第１記憶部と、前記決済額の支払いに関する処理を行う第１処理部とを有し、前記第１処理部は、前記第１記憶部に格納されている前記小切手データ生成プログラムを実行して前記小切手データを生成し、生成した前記小切手データを前記第１記憶部に格納されている前記第１アカウントデータに書き込む第１処理部生成・書き込み処理と、前記第１処理部生成・書き込み処理によって生成された前記小切手データを前記第２通信装置へ前記第１通信部に送信させる第１処理部第１送信処理と、前記第１処理部第１送信処理後、前記第２通信装置が前記小切手データを受領したことを示す領収書データを前記第１通信部に受信させる第１処理部受信処理と、前記第１処理部受信処理によって受信された前記領収書データを前記管理装置へ前記第１通信部に送信させる第１処理部第２送信処理とを行い、前記第２通信装置は、前記第１通信装置および前記管理装置と通信する第２通信部と、前記領収書データを生成する領収書データ生成プログラムと、前記二者間の電子商取引の証票に関する第２アカウントデータとが格納された第２記憶部と、前記決済額の領収に関する処理を行う第２処理部とを有し、前記第２処理部は、前記第１通信部が送信した前記小切手データを前記第２通信部に受信させる第２処理部受信処理と、前記第２処理部受信処理後、前記第２記憶部に格納されている前記領収書データ生成プログラムを実行して前記領収書データを生成し、生成した前記領収書データを前記第２記憶部に格納されている前記第２アカウントデータに書き込む第２処理部生成・書き込み処理と、前記第２処理部生成・書き込み処理によって生成された前記領収書データを前記第１通信装置へ前記第２通信部に送信させる第２処理部第１送信処理と、前記第２処理部第１送信処理後、前記第２通信部が受信した前記小切手データを前記管理装置へ前記第２通信部に送信させる第２処理部第２送信処理とを行い、前記管理装置は、前記第１通信装置が送信した前記領収書データおよび前記第２通信装置が送信した前記小切手データを受信する管理装置通信部と、前記決済を行う決済プログラムが格納された管理装置記憶部と、前記二者間の電子商取引を管理する管理装置処理部とを有し、前記管理装置処理部は、前記管理装置通信部が前記小切手データおよび前記領収書データを受信した場合には、前記管理装置通信部の受信を契機として、前記管理装置記憶部に格納されている前記決済プログラムを実行し、前記小切手データまたは前記領収書データを用いて前記決済を行う決済処理と、前記決済処理後、前記小切手データおよび前記領収書データを前記管理装置記憶部に格納する格納処理とを行う。
【０００６】
本発明の通信方法は、通信網に各々接続され、前記通信網を介して各々通信し、コンピュータによって各々構成された、決済額の支払いを行う第１通信装置および前記決済額の領収を行う第２通信装置と、前記第１通信装置および前記第２通信装置の二者間で電子商取引が行われた場合であっても、前記二者間で授受されたデータを前記通信網を介して取得し、前記二者間の電子商取引を管理する、コンピュータによって構成された管理装置とを用いて、電子商取引を利用した決済を行う通信方法であって、前記第１通信装置は、前記第２通信装置および前記管理装置と通信する第１通信部と、前記決済額を指定した小切手データを生成する小切手データ生成プログラムと、前記二者間の電子商取引の証票に関する第１アカウントデータとが格納されている第１記憶部と、前記決済額の支払いに関する処理を行う第１処理部とを有する第１通信装置であり、前記第２通信装置は、前記第１通信装置および前記管理装置と通信する第２通信部と、前記小切手データを受領したことを示す領収書データを生成する領収書データ生成プログラムと、前記二者間の電子商取引の証票に関する第２アカウントデータとが格納された第２記憶部と、前記決済額の領収に関する処理を行う第２処理部とを有する第２通信装置であり、前記管理装置は、前記第１通信装置および前記第２通信装置と通信する管理装置通信部と、前記決済を行う決済プログラムが格納された管理装置記憶部と、前記二者間の電子商取引を管理する管理装置処理部とを有する管理装置であり、前記第１処理部が、前記第１記憶部に格納されている前記小切手データ生成プログラムを実行して前記小切手データを生成し、生成した前記小切手データを前記第１記憶部に格納されている前記第１アカウントデータに書き込む第１工程と、前記第１処理部が、前記第１工程で生成した前記小切手データを前記第２通信装置へ前記第１通信部に送信させる第２工程と、前記第２処理部が、前記第１通信部が前記第２工程で送信した前記小切手データを前記第２通信部に受信させる第３工程と、前記第２処理部が、前記第２記憶部に格納されている前記領収書データ生成プログラムを実行して前記領収書データを生成し、生成した前記領収書データを前記第２記憶部に格納されている前記第２アカウントデータに書き込む第４工程と、前記第２処理部が、前記第４工程で生成した前記領収書データを前記第１通信装置へ前記第２通信部に送信させる第５工程と、前記第２処理部が、前記第２通信部が前記第３工程で受信した前記小切手データを前記管理装置へ前記第２通信部に送信させる第６工程と、前記第１処理部が、前記第２通信部が前記第５工程で送信した前記領収書データを前記第１通信部に受信させる第７工程と、前記第１処理部が、前記第１通信部が前記第７工程で受信した前記領収書データを前記管理装置へ前記第１通信部に送信させる第８工程と、前記管理装置処理部が、前記第２通信部が前記第６工程で送信した前記小切手データと、前記第１通信部が前記第８工程で送信した前記領収書データとを前記管理装置通信部に受信させる第９工程と、前記管理装置通信部が、前記第２通信装置が前記第６工程で送信した前記小切手データおよび前記第１通信装置が前記第９工程で送信した前記領収書データを受信した場合には、前記管理装置処理部が、前記管理装置通信部の受信を契機として、前記管理装置記憶部に格納されている前記決済プログラムを実行し、前記小切手データまたは前記領収書データを用いて前記決済を行う第１０工程と、前記管理装置処理部が、前記小切手データおよび前記領収書データを前記管理装置記憶部に格納する第１１工程とを有する。
【００２０】
【発明の実施の形態】
以下、本発明の実施形態に関わる通信システムについて説明する。
図１は、本実施形態の通信システム１の全体構成図である。
図１に示すように、通信システム１は、通信網２を介して、通信装置３1 ，３2 ，３3 および管理装置５が接続されている。
通信装置３1 〜３3 は、それぞれユーザ４1 〜４3 によって使用され、それぞれ各ユーザに対応した後述するサイバパスポート情報ＳＰＩＭ1 〜ＳＰＩＭ3 を保持し、これを用いて通信処理を行う。
通信網２は、特に限定されないが、例えば、公衆電話網や、赤外線などによる無線通信によるものでもよい。
図１において、通信システム１が本発明の通信システムに対応し、通信網２が本発明の通信網に対応し、通信装置３1が本発明の第１通信装置に対応し、通信装置３２が本発明の第２通信装置に対応し、管理装置５が本発明の管理装置に対応している。
【００２１】
以下、サイバパスポート情報ＰＩＭ1 について説明する。
なお、サイバパスポート情報ＳＰＩＭ2 ，ＳＰＩＭ3 は、基本的に、サイバパスポート情報ＳＰＩＭ1 と同じデータ構造を有している。
図２は、サイバパスポート情報ＳＰＩＭ1 を説明するための図である。
図２に示すように、サイバパスポート情報ＳＰＩＭ1 は、ヘッダ情報２１、ビュー情報２２、プロパティ情報２３、アソシエーション情報２４および埋め込み情報２５を格納している。
【００２２】
ヘッダ情報２１は、ヘッダ情報、サムネイル情報、フォーマット情報およびブランド情報からなる。
ヘッダ情報は、初期表示される情報である。
サムネイル情報は、サイバパスポート情報であることを初期表示する情報である。
フォーマット情報は、使用されるサイバパスポート情報の形式を示す情報である。
ブランド情報は、ブランドマークを表示するための情報である。
【００２３】
ビュー情報２２は、ユーザイメージ情報、パスポートＩＤ情報Ｐ＿ＩＤ、ユーザプロファイル情報からなる。
ユーザイメージ情報は、当該サイバパスポート情報のユーザに関する画像情報、例えば、当該ユーザの顔の画像情報である。ユーザイメージ情報は、証明証や名刺などをメタファとする画像情報である。
パスポートＩＤ情報Ｐ＿ＩＤは、当該サイバパスポート情報を識別するための情報である。パスポートＩＤ情報は、当該ユーザあるいは管理装置５によって発行される。
ユーザプロファイル情報は、当該ユーザに関する基本情報であり、例えば、当該ユーザの氏名、住所、電話、電子メールアドレス、ＵＲＬなどである。
なお、ユーザプロファイル情報は、画像の一部としてユーザイメージ情報に含めてもよい。
【００２４】
プロパティ情報２３は、ユーザＩＤ情報およびアカウント情報（本発明の第１、第２アカウントデータ）からなる。
ユーザＩＤ情報Ｕ＿ＩＤは、管理装置５によって発行され、ユーザを識別する情報である。ユーザＩＤ情報は、例えば、管理装置５の公開鍵情報によって暗号化される。
なお、サイバパスポート情報ＳＰＩＭは、管理装置５によってユーザＩＤ情報が発行される前に使用されてもよい。
アカウント情報は、電子マネーおよび電子商取引に関わる証票（個人小切手および領収書）に関する情報である。アカウント情報は、例えば、管理装置５の公開鍵情報によって暗号化される。
【００２５】
アソシエーション情報２４は、他のユーザと通信を行ったときに当該他のユーザの通信装置から受信したビュー情報と、他のユーザと通信を行ったときにビュー情報の送信先のユーザのパスポートＩＤ情報（好適には、当該他のユーザのユーザＩＤ情報や電子メールアドレスなどの当該他のユーザを特定できる情報を含む）と、通信により証票情報（小切手情報や領収書情報）を交換した相手のパスポートＩＤ情報とからなる。
【００２６】
埋め込み情報２５は、サイバパスポート情報ＳＰＩＭに係わる処理を行う機能を通信装置に組み込む場合に使用される。当該機能は、例えば、ＷＷＷ(World Wide Web)ブラウザをサイバーパスポートのユーザインタフェースとして使用した場合に、ユーザ間でのサイバパスポート情報の交換や管理装置５へのアクセスを実現する機能である。
【００２７】
サイバパスポート情報ＳＰＩＭでは、例えば、ヘッダ情報２１の下位構造として、ヘッダ情報２１、ビュー情報２２、プロパティ情報２３、アソシエーション情報２４および埋め込み情報２５が規定されている。
なお、本発明では、例えば、ビュー情報２２をヘッダ情報２１のサムネイル情報内に組み込み、ビュー情報２２を初期表示で使用してもよい。
【００２８】
上述したサイバパスポート情報ＳＰＩＭは、例えば、ＸＭＬ(eXtensible Markup Language)を用いて、構造化されて記述される。
サイバパスポート情報ＳＰＩＭの構造は、上述したものの他に、例えば、ＪＰＥＧ(Joint Photographic Experts Group)やＧＩＦといった画像データをユーザイメージ情報とし、その他の情報をＪＰＥＧやＧＩＦの付加データ領域に格納してもよい。
【００２９】
〔通信装置３1 ，３2 ，３3 〕
図３は、通信装置３1 ，３2 ，３3 の機能ブロック図である。
【００３０】
図３に示すように、通信装置３1 ，３2 ，３3 は、通信インターフェース部３０、操作部３１、表示部３２、ユーザ情報記憶部３３、記憶部３４および処理部３５を有する。
ここで、通信インターフェース部３０が本発明の第１、第２通信部に対応し、ユーザ情報記憶部３３および記憶部３４が本発明の第１、第２記憶部に対応し、処理部３５が本発明の第１、第２処理部に対応している。
【００３１】
通信インターフェース部３０は、通信網２を介して他の通信装置および管理装置５との間で情報の送受信を行う。
操作部３１は、キーボードやマウスなどであり、ユーザによる操作に応じた操作信号を処理部３５に出力する。
表示部３２は、処理部３５からの表示信号に応じた画像を表示する。
ユーザ情報記憶部３３は、図２に示すサイバパスポート情報を記憶する。
記憶部３４は、所定の情報、並びに処理部３５によって実行されるプログラムを記憶する。
【００３２】
処理部３５は、例えば、操作部３１からの操作信号などに応じて、後述する処理を行う。
図４は、処理部３５によって実現される機能を説明するための図である。
図４に示すように、処理部３５は、記憶部３４から読み出したプログラムを実行して、ブラウザ機能４１、ＳＰＩＭ編集機能４２、ＳＰＩＭ管理機能４３、電子マネー管理機能４４および小切手管理機能４５を実現する。
【００３３】
〔管理装置５〕
図５は、管理装置５の機能ブロック図である。
【００３４】
図５に示すように、管理装置５は、通信インターフェース部５０、操作部５１、表示部５２、記憶部５３および処理部５４を有する。
ここで、通信インターフェース部５０が本発明の管理装置通信部に対応し、記憶部５３が本発明の管理装置記憶部に対応し、処理部５４が本発明の管理装置処理部に対応している。
【００３５】
通信インターフェース部５０は、通信網２を介して通信装置３1 ，３2 ，３3との間で情報の送受信を行う。
操作部５１は、キーボードやマウスなどであり、管理者による操作に応じた操作信号を処理部５４に出力する。
表示部５２は、処理部５４からの表示信号に応じた画像を表示する。
記憶部５３は、処理部５４によって実行されるプログラム、並びに処理部５４が生成したユーザ管理情報などを記憶する。
【００３６】
処理部５４は、例えば、操作部５１からの操作信号などに応じて、後述する処理を行う。
図６は、処理部５４によって実現される機能を説明するための図である。
図６に示すように、処理部５４は、記憶部５３から読み出したプログラムを実行して、ユーザＩＤ情報発行機能６１、ユーザ管理情報更新機能６２、ユーザ照会機能６３、ユーザ動向解析機能６４、ユーザグループ情報生成機能６５、電子マネー管理機能６６、小切手情報処理機能６７および情報案内機能６８を実現する。
【００３７】
以下、通信システム１の動作例を図２のサイバパスポート情報内の情報および図３〜図６に示した機能ブロックに関連付けて説明する。
〔第１の動作例〕
当該動作例では、サイバパスポート情報を生成する場合を説明する。なお、当該動作例では、ユーザ４1 のユーザＩＤ情報が未だ発行されていない場合を説明する。
図７は、当該動作例を説明するためのフローチャートである。
ステップＳＴ１：
ユーザ４1 は、図３に示す通信装置３1 の操作部３１を操作してサイバパスポート発行要求を生成する。
当該サイバパスポート発行要求は、図３に示す通信装置３1 の通信インターフェース部３０によって、通信網２を介して管理装置５に送信される。
【００３８】
ステップＳＴ２：
ステップＳＴ１で送信されたサイバパスポート発行要求が、図５に示す管理装置５の通信インターフェース部５０によって受信される。
【００３９】
ステップＳＴ３：
図５に示す管理装置５の処理部５４によって、記憶部５３から読み出したプログラムを実行して得られた図６に示すユーザＩＤ情報発行機能６１に基づいて、ユーザ４1 に固有のユーザＩＤ情報Ｕ＿ＩＤ1 が発行される。
なお、図２に示すパスポートＩＤ情報は、ステップＳＴ３で管理装置５によって発行されてもよいし、ユーザが自ら発行してもよい。パスポートＩＤ情報をユーザが発行した場合には、当該ユーザが管理装置５にアクセスしたときに、ユーザが発行したパスポートＩＤと管理装置５が発行したユーザＩＤ情報とが関連付けられる。
【００４０】
ステップＳＴ４：
ステップＳＴ３で発行されたユーザＩＤ情報Ｕ＿ＩＤ1 が、図５に示す管理装置５の通信インターフェース部５０から、通信網２を介して、通信装置３1 に送信される。
【００４１】
ステップＳＴ５：
ステップＳＴ１で送信されたユーザＩＤ情報Ｕ＿ＩＤ1 が、図３に示す通信装置３1 の通信インターフェース部３０によって受信される。
【００４２】
図３に示す通信装置３1 の処理部３５において、ステップＳＴ５で受信したユーザＩＤ情報Ｕ＿ＩＤ1 と、操作部３１を用いてユーザ４1 が入力した情報などを用いて図２に示すサイバパスポート情報ＳＰＩＭ1 が生成される。
【００４３】
〔第２動作例〕
当該動作例では、図１に示す通信装置３1 と３2 とが通信を行ったときに、相互間でビュー情報を交換する場合を説明する。
図８は当該動作例における情報の流れを説明するための図、図９は当該動作例を説明するためのフローチャートである。
通信装置３1 と３2 とが通信を行うと、通信装置３1 ，３2 は以下に示す処理を行う。
ステップＳＴ１１：
通信装置３1 において、ユーザ情報記憶部３３に記憶されているサイバパスポート情報ＳＰＩＭ1 内のビュー情報２２が、図８に示すように、通信インターフェース部３０によって通信網２を介して通信装置３2 に送信される。
また、通信装置３2 において、ユーザ情報記憶部３３に記憶されているサイバパスポート情報ＳＰＩＭ2 内のビュー情報２２が、図８に示すように、通信インターフェース部３０によって通信網２を介して通信装置３1 に送信される。
【００４４】
ステップＳＴ１２：
通信装置３1 は、ステップＳＴ１１で通信装置３2 から受信したビュー情報２２を、ユーザ４1 の図２に示すアソシエーション情報２４に格納する。
【００４５】
ステップＳＴ１３：
通信装置３1 は、ステップＳＴ１１でユーザ４1 のビュー情報２２1 を送信した通信装置３2 のユーザ４2 のユーザＩＤ情報Ｕ＿ＩＤ2 を、サイバパスポート情報ＳＰＩＭ1 のアソシエーション情報２４に格納する。
【００４６】
ステップＳＴ１４：
通信装置３2 は、ステップＳＴ１１で通信装置３1 から受信したビュー情報２２を、ユーザ４2 の図２に示すアソシエーション情報２４に格納する。
【００４７】
ステップＳＴ１５：
通信装置３2 は、ステップＳＴ１１でユーザ４2 のビュー情報２２を送信した通信装置３1 のユーザ４1 のユーザＩＤ情報Ｕ＿ＩＤ1 を、サイバパスポート情報ＳＰＩＭ2 のアソシエーション情報２４に格納する。
【００４８】
〔第３動作例〕
当該動作例では、図１に示す通信装置３1 が管理装置５にユーザ照会要求を行う場合を説明する。
図１０は当該動作例を説明するためのフローチャートである。
ステップＳＴ２１：
ユーザ４1 は、図３に示す通信装置３1 の操作部３１を操作して、例えば、自らのサイバパスポート情報ＳＰＩＭ1 の内容や、通信装置３2 から受信したユーザ４2 のビュー情報２２の内容を特定してユーザ照会要求を生成する。
【００４９】
ステップＳＴ２２：
ステップＳＴ２１で生成されたユーザ照会要求が、図３に示す通信装置３1 の通信インターフェース部３０によって、通信網２を介して管理装置５に送信される。
【００５０】
ステップＳＴ２３：
ステップＳＴ２２で送信されたユーザ照会要求が、図５に示す管理装置５の通信インターフェース部５０によって受信される。
【００５１】
ステップＳＴ２４：
図５に示す管理装置５の処理部５４において、記憶部５３から読み出したプログラムを実行して得られた図６に示すユーザ照会機能６３に基づいて、記憶部５３に記憶されたユーザ管理情報が参照され、ユーザ照会要求によって特定された内容が確かなものであるか否かが判断されて照会結果が得られ、当該照会結果を含むユーザ照会応答が生成される。
【００５２】
ステップＳＴ２５：
ステップＳＴ２４で生成されたユーザ照会応答が、図５に示す管理装置５の通信インターフェース部５０から通信網２を介して通信装置３1 に送信される。
【００５３】
ステップＳＴ２６：
ステップＳＴ２５で送信されたユーザ照会応答が、通信装置３1 の通信インターフェース部３０によって受信される。
当該受信されたユーザ照会応答は、処理部３５の処理を経て、表示部３２に表示される。
【００５４】
〔第４動作例〕
当該動作例では、図１に示す通信装置３1 が管理装置５に電子マネー発給要求を行う場合を説明する。
図１１は当該動作例を説明するためのフローチャートである。
ステップＳＴ３１：
ユーザ４1 は、図３に示す通信装置３1 の操作部３１を操作して、例えば、発給を要求する電子マネーの金額を指定して電子マネー発給要求を生成する。
【００５５】
ステップＳＴ３２：
ステップＳＴ３１で生成された電子マネー発給要求が、図３に示す通信装置３1 の通信インターフェース部３０によって、通信網２を介して管理装置５に送信される。
【００５６】
ステップＳＴ３３：
ステップＳＴ３２で送信された電子マネー発給要求が、図５に示す管理装置５の通信インターフェース部５０によって受信される。
【００５７】
ステップＳＴ３４：
図５に示す管理装置５の処理部５４において、記憶部５３から読み出したプログラムを実行して得られた図６に示す電子マネー管理機能６６に基づいて、指定された金額の電子マネーをユーザ４1 に発給するための処理が行われ、電子マネー発給応答が生成される。
【００５８】
ステップＳＴ３５：
ステップＳＴ３４で生成された電子マネー発給応答が、図５に示す管理装置５の通信インターフェース部５０から通信網２を介して通信装置３1 に送信される。
【００５９】
ステップＳＴ３６：
ステップＳＴ３５で送信された電子マネー発給応答が、通信装置３1 の通信インターフェース部３０によって受信される。
【００６０】
ステップＳＴ３７：
ステップＳＴ３６で受信した電子マネー発給応答に応じて、図３に示す処理部３５において、記憶部３４から読み出したプログラムを実行して得られた図４に示す電子マネー管理機能４４に基づいて、サイバパスポート情報ＳＰＩＭ1 内の電子マネーの金額が増額される。
【００６１】
〔第５動作例〕
当該動作例では、図１に示す通信装置３1 が通信装置３2 に電子マネー支払い要求を行う場合を説明する。
図１２は当該動作例を説明するためのフローチャートである。
ステップＳＴ４１：
ユーザ４1 は、図３に示す通信装置３1 の操作部３１を操作して、例えば、支払いを行う電子マネーの金額を指定して電子マネー発給要求を生成する。
【００６２】
ステップＳＴ４２：
ステップＳＴ４１で生成された電子マネー支払い要求が、図３に示す通信装置３1 の通信インターフェース部３０によって、通信網２を介して通信装置３2 に送信される。
【００６３】
ステップＳＴ４３：
ステップＳＴ４２で送信された電子マネー支払い要求が、図３に示す通信装置３2 の通信インターフェース部３０によって受信される。
【００６４】
ステップＳＴ４４：
ステップＳＴ４３で受信した電子マネー支払い要求に応じて、通信装置３2 の図３に示す処理部３５において、記憶部３４から読み出したプログラムを実行して得られた図４に示す電子マネー管理機能４４に基づいて、サイバパスポート情報ＳＰＩＭ2 のプロパティ情報２３内のアカウント情報に示される電子マネーの金額が増額される。
【００６５】
ステップＳＴ４５：
ステップＳＴ４２における電子マネー支払い要求の送信に応じて、通信装置３1 の図３に示す処理部３５において、記憶部３４から読み出したプログラムを実行して得られた図４に示す電子マネー管理機能４４に基づいて、サイバパスポート情報ＳＰＩＭ1 のプロパティ情報２３内のアカウント情報に示される電子マネーの金額が減額される。
【００６６】
〔第６動作例〕
当該動作例では、図１に示す通信装置３1 が通信装置３2 に小切手情報を送信し、管理装置５で小切手情報に基づいて決済を行う場合を説明する。
図１３は、当該動作例を説明するためのフローチャートである。
ステップＳＴ５１：
ユーザ４1 によって図３に示す通信装置３1 の操作部３１が操作され、処理部３５において、記憶部３４から読み出したプログラムを実行して得られた図４に示す小切手管理機能４５に基づいて、ユーザ４2 に小切手で支払う金額を指定した小切手情報が生成される。また、処理部３５によって、当該小切手情報が、ユーザ４1 のサイバパスポート情報ＳＰＩＭ1 の図２に示すプロパティ情報２３にアカウント情報として格納される。
【００６７】
ステップＳＴ５２：
ステップＳＴ５１で生成された小切手情報が、図３に示す通信装置３1 の通信インターフェース部３０によって、通信網２を介して通信装置３2 に送信される。
【００６８】
ステップＳＴ５３：
ステップＳＴ５２で送信された小切手情報が、図３に示す通信装置３2 の通信インターフェース部３０によって受信される。
【００６９】
ステップＳＴ５４：
図３に示す通信装置３2 の処理部３５において、記憶部３４から読み出したプログラムを実行して得られた図４に示す小切手管理機能４５に基づいて、当該小切手情報がユーザ４2 のサイバパスポート情報ＳＰＩＭ2の図２に示すプロパティ情報２３にアカウント情報として格納される。また、処理部３５によって、小切手情報を受け取ったことに対しての領収書情報が生成される。
【００７０】
ステップＳＴ５５：
ステップＳＴ５４で生成された領収書情報が、図３に示す通信装置３2 の通信インターフェース部３０によって、通信網２を介して通信装置３1 に送信される。
【００７１】
ステップＳＴ５６：
ステップＳＴ５３で受信した小切手情報が、図３に示す通信装置３2 の通信インターフェース部３０によって、通信網２を介して管理装置５に送信される。
【００７２】
ステップＳＴ５７：
ステップＳＴ５５で通信装置３2 から送信された小切手情報が、図３に示す通信装置３1 の通信インターフェース部３０によって受信される。
【００７３】
ステップＳＴ５８：
ステップＳＴ５７で通信装置３1 が受信した領収書情報が、通信装置３1 の図３に示す通信インターフェース部３０によって、通信網２を介して管理装置５に送信される。
【００７４】
ステップＳＴ５９：
ステップＳＴ５６で通信装置３2 が送信した小切手情報が、図５に示す管理装置５の通信インターフェース部５０によって受信される。
【００７５】
ステップＳＴ６０：
ステップＳＴ５８で通信装置３1 が送信した領収書情報が、図５に示す管理装置５の通信インターフェース部５０によって受信される。
【００７６】
ステップＳＴ６１：
ステップＳＴ５９で小切手情報が受信された場合には、図５に示す管理装置５の処理部５４において、記憶部５３から読み出したプログラムを実行して得られた図６に示す小切手情報処理６７に基づいて、ステップＳＴ５９で受信した小切手情報およびステップＳＴ６０で受信した領収書情報に基づいて決済処理が行われる。
一方、ステップＳＴ６０で領収書情報が受信された場合には、当該領収書情報に基づいて決済処理が行われる。
【００７７】
ステップＳＴ６２：
図５に示す管理装置５の処理部５４によって、ステップＳＴ６１で行われた決済の内容についての内容照合通知が生成される。
そして、小切手情報に基づいて決済が行われた場合には、内容照合通知が通信装置３2 に送信される。一方、領収書情報に基づいて決済が行われた場合には、内容照合通知が通信装置３1 に送信される。
【００７８】
ステップＳＴ６３：
ステップＳＴ６２で管理装置５から送信された内容照合通知が、図３に示す通信装置３1 の通信インターフェース部３０によって受信され、その内容が表示部３２に表示される。
【００７９】
ステップＳＴ６４：
ステップＳＴ６２で管理装置５から送信された内容照合通知が、図３に示す通信装置３2 の通信インターフェース部３０によって受信され、その内容が表示部３２に表示される。
【００８０】
ステップＳＴ６５：
管理装置５は領収書情報、小切手情報を記憶する。
【００８１】
図５に示す管理装置５の記憶部５３に、決済処理に用いられた小切手情報および領収書情報が記憶される。
【００８２】
〔第７動作例〕
当該動作例では、図１に示す通信装置３1 が管理装置５にアクセスを行ったときの通信装置３1 および管理装置５の処理を説明する。
通信装置３1 が何らかの理由で管理装置５にアクセスを行ったときに以下に示す処理が例えば自動的に行われる。
図１４は当該動作例を説明するためのフローチャートである。
ステップＳＴ７１：
通信装置３1 が通信網２を介して管理装置５にアクセスを行うと、以下に示すように、図３に示す記憶部３４に記憶されているユーザ４1 のサイバパスポート情報ＳＰＩＭ1 内の所定の情報が、通信インターフェース部３０によって通信網２を介して管理装置５に送信される。
当該送信される情報は、例えば、ユーザ４1 のユーザＩＤ情報Ｕ＿ＩＤ、サイバパスポパスポートＩＤ情報Ｐ＿ＩＤ、アカウント情報、ユーザ４1 のビュー情報を送信した先のＰ＿ＩＤなどの情報である。
【００８３】
ステップＳＴ７２：
ステップＳＴ７１で通信装置３1 から送信された情報が、図５に示す管理装置５の通信インターフェース部５０によって受信される。
【００８４】
ステップＳＴ７３：
図５に示す管理装置５において、ステップＳＴ７２で受信された情報が記憶部５３に書き込まれる。
【００８５】
ステップＳＴ７４：
図５に示す管理装置５の処理部５４において、記憶部５３から読み出したプログラムを実行して得られた図６に示すユーザ管理情報更新機能６２に基づいて、ステップＳＴ７２で受信した情報に基づいて、関係するユーザのユーザ管理情報が更新される。
【００８６】
ステップＳＴ７５：
図５に示す管理装置５の処理部５４において、ユーザ管理情報更新機能６２に基づいて、ユーザ４1 のサイバパスポート情報ＳＰＩＭ1を更新するためのＳＰＩＭ更新情報が生成される。
【００８７】
ステップＳＴ７６：
ステップＳＴ７５で生成されたＳＰＩＭ更新情報が、図５に示す管理装置５の通信インターフェース部５０から通信網２を介して通信装置３1 に送信される。
【００８８】
ステップＳＴ７７：
ステップＳＴ７６で送信されたＳＰＩＭ更新情報が、図３に示す通信装置３1の通信インターフェース部３０によって受信される。
【００８９】
ステップＳＴ７８：
図３に示す通信装置３1 の処理部３５において、記憶部３４から読み出したプログラムを実行して得られた図４に示すＳＰＩＭ編集機能４２に基づいて、ステップＳＴ７７で受信したＳＰＩＭ更新情報に基づいて、ユーザ情報記憶部３３に記憶されているユーザ４1 のサイバパスポート情報ＳＰＩＭ1 が編集（更新）される。
【００９０】
ステップＳＴ７９：
図５に示す管理装置５の処理部５４において、記憶部５３から読み出したプログラムを実行して得られた図６に示すユーザ動向解析機能６４に基づいて、ステップＳＴ７２で受信した情報を用いて、ユーザの動向が解析され、解析情報が生成される。当該解析では、例えば、ユーザが利用したサービス提供者（サイバパスポート情報を保持している）の業種を元に消費の嗜好などのユーザの消費行動を解析する。
解析情報は、図５に示す記憶部５３に書き込まれる。
【００９１】
ステップＳＴ８０：
図５に示す管理装置５の処理部５４において、記憶部５３から読み出したプログラムを実行して得られた図６に示すユーザグループ情報生成機能６５に基づいて、ステップＳＴ７２で受信した情報を用いて、複数のユーザの相互関係が解析され、相互間関係の強いユーザをグループ化したグループ情報が生成される。
グループ情報は、図５に示す記憶部５３に書き込まれる。
【００９２】
以下、上述した通信システム１において、上述したようにしてサイバパスポート情報を用いて通信網２を介して行った通信によって、通信網２上で形成可能な種々のコミュニティの例について説明する。
〔コミュニティ形成方法〕
図１５は、通信網２上で複数のユーザ４が集まって相互情報サービスを行うコミュニティ、および、それらを管理する管理装置５の模式的関係を示す図である。
図１５において、管理装置５は、前述したように、ユーザＩＤ情報発行機能６１、ユーザ管理情報更新機能６２、ユーザ照会機能６３、ユーザ動向解析機能６４、ユーザグループ情報生成機能６５、電子マネー管理機能６６および小切手情報処理６７などからなるユーザ管理機能１００と、ユーザ４にコミュニティを紹介する情報案内機能６８とを有する。
ユーザ４は、自らのサイバパスポート情報ＳＰＩＭを用いて、通信装置３から管理装置５に接続し、管理装置５の情報案内機能６８を利用する。
【００９３】
コミュニティＣ1 ，Ｃ2 ，Ｃ3 は、情報サービス提供者が所定のサービスを提供するコミュニティで、ユーザ４が適宜そのコミュニティに参加してサービスを利用するものや、ユーザ４が適宜コミュニティを形成し、そのコミュニティには必要に応じて情報サービス提供者が参加するもの、あるいは、ユーザ４が随時集まる非営利的コミュニティなどがある。
後に、このようなコミュニティを、その特性に応じて、出版イベント型コミュニティと、参加イベント型コミュニティと、創発プライベート型コミュニティとに分類して説明する。
【００９４】
通信システム１では、コミュニティにおける情報サービス利用者による情報サービス提供者が提供する情報サービスの利用、あるいは情報サービス利用者間での直接の情報の交換に関わる情報料およびサービス利用料の収受は、サイバパスポート情報ＳＰＩＭの電子商取引の機能（例えば、図２に示すアカウント情報やアソシエーション情報２４に基づいた機能）を用いて通信装置３1 ，３2 ，３3 で行われる。
なお、管理装置５は、例えば、情報サービス提供者への利用者の紹介、利用者管理情報から得られる利用者の特性などに関わる情報の提供料、情報コミュニティの利用に関わる電子商取引に伴って徴収する手数料によって運営される。
【００９５】
＜出版イベント型コミュニティ＞
図１６は、図１に示す通信システム１を用いて、情報サービスとして適宜開催される英語塾が提供され、ユーザ４が随時参加して英語学習を行うコミュニティが形成される場合を説明するための図である。
図１６において、講師１１０、テスト業者１１１および生徒１１２は、それぞれサイバパスポート情報ＳＰＩＭを所有しており、各々の通信装置３を用いて管理装置５にアクセスを行う。
図１６に示す講師１１０などの情報サービス提供者は、コミュニティ参加費（受講費）、コンテンツ代（教材費）、テスト・添削による評価・認定代で収益を得る。
この種類のコミュニティでは、さらにテスト業者１１１が情報サービス提供者としてコミュニティを形成し、講師が随時それに参加して、テスト教材、テスト解析のサービスを利用することが可能である。
【００９６】
＜参加イベント型コミュニティ＞
図１７は、図１に示す通信システム１を用いて、ビデオ撮影のためのビデオカメラを所持するユーザが、ビデオ撮影スキルの向上を目的としてコミュニティを形成した場合を説明するための図である。
図１７において、ユーザ１２０および認定者１２２は、それぞれサイバパスポート情報ＳＰＩＭを所有しており、各々の通信装置３を用いて管理装置５にアクセスを行う。
ここでは、適宜参加するユーザ１２０が映像ライブラリ１２１から撮影事例をを参照し、自ら撮影を試みた作品を持ち寄り、ユーザによる相互講評を行う。また、随時、認定者１２２が参加してユーザのスキルに応じて適宜認定を行う。
【００９７】
このようなコミュニティ１２３からは、よりスキルの高いユーザ１２０が初心者に撮影方法を指南する使い方指南コミュニティ１２４が本コミュニティ１２３から派生したり、本コミュニティ１２３そのものが作品内容によって、ファミリービデオコミュニティ１２５やスポーツビデオコミュニティ１２６に分化したりする。
また、作品の撮影においてアクセサリ機器が必要となったとき、関連するアクセサリグッズコミュニティ１２７にユーザを紹介したり、作品内容に応じてユーザが所望すると推定される映画のコミュニティ１２８に紹介することが可能である。
情報サービス提供者は、ユーザによるコミュニティ参加費、コンテンツ代、評価・認定代の他に、関連情報サービスのコミュニティへの利用者の紹介・斡旋料で収益を得ることができる。他のコミュニティへの紹介・斡旋料は、管理装置５を介して収受できる。
【００９８】
＜創発プライベート型コミュニティ＞
図１８は、図１に示す通信システム１を用いて、通信網（ネットワーク）２上のユーザの出会いによるコミュニティを形成する場足を説明するための図である。
図１８において、ユーザ１３０および天文ファン１３２は、それぞれサイバパスポート情報ＳＰＩＭを所有しており、各々の通信装置３を用いて管理装置５にアクセスを行う。
図１８に示すように、通信網２上で出会った天文、写真、登山を趣味とするユーザ１３０が、一時的にコミュニティ１３１を形成し、共同で登山をして星の写真を撮影し、その写真を元に天文ファン１３２が天文ファンコミュニティ１３３に参加して写真の評価を得、さらにその成果をもって天文台や学会コミュニティ１３４に参加するものである。
このようなコミュニティは、利益を目的とする情報サービス提供者が参加して収益活動を行うものではないが、そこでの情報交換を基にユーザが管理装置５にアクセスすることにより、管理装置５の利用者管理機能１００によって、ユーザの関係や共通の話題などを解析して得ることができる。この情報は、さらに管理装置５の情報案内機能６８で利用される。
【００９９】
また、特定のユーザがバナー広告などを持参し、コミュニティの参加者がその広告を見ることが可能である。その際、例えば、広告を持参しているユーザに対して、他のコミュニティ参加者がその広告を見た数に応じて、広告委託料をその広告の提供者から支払うことができる。この広告料の支払いは、各ユーザのサイバパスポート情報ＳＰＩＭの電子商取引機能による。
また、ユーザ同士で、ユーザの情報を交換してその対価の支払いを、同様に、サイバパスポート情報ＳＰＩＭの電子商取引機能で実現できる。
上記のコミュニティは、いずれも、インタネット上でパーソナルコンピュータを用いても可能であるし、あるいは、携帯電話機やＰＤＡ(Personal Digital Assistants) を用いた場合でも可能である。ＰＤＡ機器を用いた場合は、ＰＤＡ機器間の直接通信機能により、特に創発プライベート型コミュニティの実現が容易である。
【０１００】
＜サイバパスポート情報ＳＰＩＭの役割＞
上記に述べたようなコミュニティにおけるサイバパスポート情報ＳＰＩＭの役割をまとめる。
図１９は、サイバパスポート情報ＳＰＩＭの役割を説明するための図である。
前述した創発プライベート型といったコミュニティは、いわゆるＣｔｏＣ型コミュニケーションに類する。このような形式では、特定サーバー機能を介さずに情報のやりとりがなされるため、そこに有料の情報のやりとりやサービスが介在しても収益を得る方法の実現が従来困難であったが、サイバパスポート情報ＳＰＩＭを用いた上記方法によれば、そのような場合でも電子商取引を実現できる。
またＢｔｏＣ型コミュニティであっても、特定のサーバー機能を介さずに情報サービスを行う場合、同様に収益を得るのが困難であったが、この場合も同様に電子商取引が実現される。また、その情報サービスを提供する提供者が他の情報やサービスを利用している場合、その利用に対して対価を請求することが、同じく実現される。
【０１０１】
ユーザがこれらのコミュニティで活動した際、サイバパスポート情報ＳＰＩＭに格納されたビュー情報２２を交換し、適宜、管理装置５のユーザ管理機能１００を利用することによって、ユーザ相互間の関係を解析することにより、その相互関係を一にするユーザをグループ化する事が可能である。その際、ユーザの内に趣味嗜好などのユーザ情報が管理されているものがあれば、上記相互関係から他のユーザ、および、ユーザのグループの情報消費動向が把握され、通信網２上の市場調査が実現される。
これらの機能を実現するには、サイバパスポート情報ＳＰＩＭを保持したユーザのユーザ機能が、たとえば、管理装置５のユーザ管理機能１００に接続する必要があるが、これは、情報サービスユーザに対して管理装置５での新たなサービスを紹介したり、情報サービス提供者に対して新たな情報サービスユーザの紹介をしたりすることで、その接続を促進することができる。
【０１０２】
また、ユーザ間でのユーザ識別情報に関わる情報の交換は、それらの情報を集めることによって、管理装置５から表示のされ方などの特別仕様のサイバパスポート情報ＳＰＩＭを入手できるといった促進活動が可能である。
管理装置５には、サイバパスポート情報ＳＰＩＭを保持しているすべてのユーザが訪れる必要はなく、一部のユーザの訪問によっても上記説明した機能は実現される。
【０１０３】
以上説明したように、通信システム１によれば、通信網２（ネットワーク）上でのユーザ識別手段を提供するものであって、通信網２上での相互参照が可能であり、それら通信網２上での参照関係（交流関係）を管理装置５がグローバルに把握することができる。
また、通信システム１によれば、サイバパスポート情報ＳＰＩＭに画像（イメージ）を保持することが可能であり、画像の種類によって、写真、あるいは、名刺、身分証明書などを隠喩とする理解しやすいユーザ表現手段を提供する。これによって、ユーザ間の交流が促進され、ユーザ間に関する情報が増加することが期待される。
【０１０４】
また、通信システム１によれば、サーバ装置などによる特定の機能サイトのみによるユーザの挙動把握を行うのではなく、ユーザ間での直接の情報交換に関する挙動を把握することができる。
また、通信システム１によれば、個々のユーザの挙動の把握だけでなく、ユーザの集団での挙動を把握することができる。集団的な挙動を把握することによって、そこに属するユーザの情報から相乗的に個々のユーザの挙動を把握することができる。また、その集団が情報コミュニティである場合、コミュニティに対するより高度な情報提供といったサービスの向上が期待できる。
また、通信システム１によれば、ユーザの集団あるいは集団となる可能性のあるグループをまとめて、情報とサービスの案内を送ることによって、それらによる情報コミュニティの形成を促すことができる。
また、通信システム１によれば、情報サービスの提供者を含めてユーザ間での電子商取引のための通貨あるいは証票の交換手段を提供するため、特定サイトに基づいたサービスによらない柔軟なネットワーク市場の形成が期待できる。
【０１０５】
本発明は上述した実施形態には限定されない。
上述した実施形態では、サイバパスポート情報ＳＰＩＭ1 ，ＳＰＩＭ2 ，ＳＰＩＭ3 が通信装置３1 ，３2 ，３3 に格納されている場合を例示したが、図２０に示すように、ＩＣカード１２1 ，１２2 ，１２3 の図２１に示すＩＣ１３にそれぞれサイバパスポート情報ＳＰＩＭ1 ，ＳＰＩＭ2 ，ＳＰＩＭ3 を記憶し、通信装置３1 ，３2 ，３3 が当該ＩＣ１３にアクセスを行いながら、上述した処理を行ってもよい。
また、サイバパスポート情報ＳＰＩＭのフォーマットは図２に示すものには限定されない。
【０１０７】
以下、参考のためにＸＭＬを用いて記述されたサイバパスポート情報ＳＰＩＭの例を説明する。
図２２〜図２５は、サイバパスポート情報ＳＰＩＭをＸＭＬで記述した例を説明するための図である。
図２２は、サイバパスポート情報ＳＰＩＭ内のヘッダ情報２１およびビュー情報２２の記述である。
図２３は、サイバパスポート情報ＳＰＩＭ内のプロパティ情報２３の記述である。
図２４および図２５は、サイバパスポート情報ＳＰＩＭ内のアソシエーション情報２４の記述である。
【０１０８】
【発明の効果】
以上説明したように、本発明によれば、管理装置を介さずにユーザの通信装置相互間で通信網を介して通信が行われた場合でも、管理装置が当該ユーザの通信網上での行動を把握できる通信システムおよび通信方法を提供することができる。
【図面の簡単な説明】
【図１】  図１は、本発明の実施形態の通信システムの全体構成図である。
【図２】  図２は、本発明の実施形態で用いられるサイバパスポート情報を説明するための図である。
【図３】  図３は、図１に示す通信装置の機能ブロック図である。
【図４】  図４は、図３に示す処理部によって実現される機能を説明するための図である。
【図５】  図５は、図１に示す管理装置の機能ブロック図である。
【図６】  図６は、図５に示す処理部によって実現される機能を説明するための図である。
【図７】  図７は、サイバパスポート情報を生成する場合を説明するためのフローチャートである。
【図８】  図８は、図１に示す通信装置相互間で通信を行ったときに、相互間でビュー情報を交換する処理を説明するための図である。
【図９】  図９は、図８に示す処理を説明するためのフローチャートである。
【図１０】  図１０は、図１に示す通信装置が管理装置にユーザ照会要求を行う場合を説明するためのフローチャートである。
【図１１】  図１１は、図１に示す通信装置が管理装置に電子マネー発給要求を行う場合の処理を説明するためのフローチャートである。
【図１２】  図１２は、図１に示す通信装置が他の通信装置に電子マネー支払い要求を行う場合を説明するためのフローチャートである。
【図１３】  図１３は、通信装置が他の通信装置に小切手情報を送信し、管理装置で小切手情報に基づいて決済を行う場合を説明するためのフローチャートである。
【図１４】  図１４は、図１に示す通信装置が管理装置にアクセスを行ったときの通信装置および管理装置の処理を説明するためのフローチャートである。
【図１５】  図１５は、図１に示す通信網上で複数のユーザが集まって相互情報サービスを行うコミュニティ、および、それらを管理する管理装置の模式的関係を示す図である。
【図１６】  図１６は、図１に示す通信システムを用いて、情報サービスとして適宜開催される英語塾が提供され、ユーザが随時参加して英語学習を行うコミュニティが形成される場合を説明するための図である。
【図１７】  図１７は、図１に示す通信システムを用いて、ビデオ撮影のためのビデオカメラを所持するユーザが、ビデオ撮影スキルの向上を目的としてコミュニティを形成した場合を説明するための図である。
【図１８】  図１８は、図１に示す通信システムを用いて、通信網（ネットワーク）上のユーザの出会いによるコミュニティを形成する場足を説明するための図である。
【図１９】  図１９は、サイバパスポート情報ＳＰＩＭの役割を説明するための図である。
【図２０】  図２０は、本発明の実施形態の通信システムにおいて、サイバパスポート情報をＩＣカードのＩＣに記憶した場合を説明するための図である。
【図２１】  図２１は、図２０に示すＩＣカードを説明するための図である。
【図２２】  図２２は、サイバパスポート情報ＳＰＩＭをＸＭＬで記述した例を説明するための図である。
【図２３】  図２３は、サイバパスポート情報ＳＰＩＭをＸＭＬで記述した例を説明するための図である。
【図２４】  図２４は、サイバパスポート情報ＳＰＩＭをＸＭＬで記述した例を説明するための図である。
【図２５】  図２５は、サイバパスポート情報ＳＰＩＭをＸＭＬで記述した例を説明するための図である。
【符号の説明】
１…通信システム、２…通信網、３1 ，３2 ，３3 …通信装置、４1 ，４2 ，４3 …ユーザ、１２1 ，１２2 ，１２3 …ＩＣカード、ＳＰＩＭ…サイバパスポート情報、３０…通信インターフェース部、３１…操作部、３２…表示部、３３…ユーザ情報記憶部、３４…記憶部、３５…処理部、５０…通信インターフェース部、５１…操作部、５２…表示部、５３…記憶部、５４…処理部
【図１】
0004442027.tif 000002
【図２】
0004442027.tif 000003
【図３】
0004442027.tif 000004
【図４】
0004442027.tif 000005
【図５】
0004442027.tif 000006
【図６】
0004442027.tif 000007
【図７】
0004442027.tif 000008
【図８】
0004442027.tif 000009
【図９】
0004442027.tif 000010
【図１０】
0004442027.tif 000011
【図１１】
0004442027.tif 000012
【図１２】
0004442027.tif 000013
【図１３】
0004442027.tif 000014
【図１４】
0004442027.tif 000015
【図１５】
0004442027.tif 000016
【図１６】
0004442027.tif 000017
【図１７】
0004442027.tif 000018
【図１８】
0004442027.tif 000019
【図１９】
0004442027.tif 000020
【図２０】
0004442027.tif 000021
【図２１】
0004442027.tif 000022
【図２２】
0004442027.tif 000023
【図２３】
0004442027.tif 000024
【図２４】
0004442027.tif 000025
【図２５】
0004442027.tif 000026